Podtech/llm-jp-corpus-v4-ja_patent huggingface dataset:
【誤訳訂正書】
【提出日】平成23年11月24日(2011.11.24)
【誤訳訂正１】
【訂正対象書類名】特許請求の範囲
【訂正対象項目名】全文
【訂正方法】変更
【訂正の内容】
【特許請求の範囲】
【請求項１】
熱交換器(1)の部材の作製(A)、組立て(B)、及び所定の温度条件下で行うロウ付け(C)を有する熱交換器の製造方法であって、前記組立て(B)及びロウ付け(C)の前に、フィン(6)のみに被膜(102)を形成する表面処理操作(A101, A114)を有し、前記被膜(102)が、(i) 前記フィン(6)の表面に前記被膜(102)を形成させる機能を有する膜形成溶媒と、(ii) 親水性付与剤及び／又は抗菌剤からなり、これらのいずれか又は両方による特性を、作動中の熱交換器に付与する活性剤と、(iii) 前記被膜(102)に、硬質ロウ付けの温度条件に対して耐熱性を付与することができる熱保護剤とを含有する混合物からなることを特徴とする熱交換器の製法。
【請求項２】
前記膜形成溶媒がキシレン及び１-メトキシ-２-プロピルアセテートの混合物からなる請求項１記載の方法。
【請求項３】
前記熱保護剤が、アルミニウム青銅及び／又はケイ素系結合剤を含有するものである請求項１又は２記載の方法。
【請求項４】
前記熱保護剤が、アルミニウム青銅とケイ素系結合剤との混合物からなる請求項１〜３のいずれかに記載の方法。
【請求項５】
前記熱交換器の部材が、少なくとも１個のヘッダ(2)、流体循環用の流路(4)、及びこの流路(4)と接触する前記フィン(6)を含むことを特徴とする請求項１〜４のいずれかに記載の方法。
【請求項６】
前記作製(A)が、前記各フィン(6)について、表面処理工程(A101)及び前記フィン(6)の形成工程(A104)を含むものであることを特徴とする請求項１〜５のいずれかに記載の方法。
【請求項７】
前記表面処理(A101)を浸漬によって行うことを特徴とする請求項６記載の方法。
【請求項８】
前記表面処理(A101)を噴霧によって行うことを特徴とする請求項６記載の方法。
【請求項９】
前記表面処理(A101)をコーティングによって行うことを特徴とする請求項６記載の方法。
【請求項１０】
前記作製(A)が乾燥工程(A102, A115)を含むことを特徴とする請求項６〜９のいずれかに記載の方法。
【請求項１１】
前記ロウ付け(C)が、制御された雰囲気中、400℃以上〜630℃以下の温度で行われる硬質ロウ付けであることを特徴とする請求項１〜10のいずれかに記載の方法。
【請求項１２】
前記ロウ付け(C)が、真空内で行われる硬質ロウ付けであることを特徴とする請求項１〜10のいずれかに記載の方法。
【請求項１３】
請求項１〜12のいずれかに記載の方法によって製造されたものであって、前記フィン(6)のみが、前記表面処理(A101, A114)されていることを特徴とする熱交換器。
【請求項１４】
前記部材が、少なくとも１個のヘッダ(2)、流体循環用の流路(4)、及び前記流路(4)と接触する前記フィン(6)を含み、表面処理(A101, A114)が、前記フィン(6)の材料のみについて行われていることを特徴とする請求項13記載の熱交換器。
【請求項１５】
前記流路が管(4)であることを特徴とする請求項14記載の熱交換器。
【請求項１６】
前記流路がプレート(12)であることを特徴とする請求項14記載の熱交換器。
【請求項１７】
前記部材がアルミニウム合金製であることを特徴とする請求項13〜16のいずれかに記載の熱交換器。
【請求項１８】
熱交換器が、空調回路用の蒸発器(10)である請求項13〜17のいずれかに記載の熱交換器。
【誤訳訂正２】
【訂正対象書類名】明細書
【訂正対象項目名】００１４
【訂正方法】変更
【訂正の内容】
【００１４】
この目的のため、本発明は、熱交換器（特に、蒸発器）の部材の作製、組立て、及び所定の温度条件下で行うロウ付けを有する熱交換器、特に、蒸発器を製造する方法であって、前記組立て及びロウ付けの前に、フィンのみに被膜を形成することからなる表面処理操作を有し、前記被膜が、(i) 前記フィンの表面に前記被膜を形成させる機能を有する膜形成溶媒と；(ii) 親水性付与剤及び／又は抗菌剤からなり、これらのいずれか又は両方による特性を、作動中の熱交換器に付与する活性剤と；(iii) 前記被膜に、硬質ロウ付けの温度条件に対して耐熱性を付与することができる熱保護剤とを含有する混合物からなることを特徴とする熱交換器の製法を提供する。
【誤訳訂正３】
【訂正対象書類名】明細書
【訂正対象項目名】００２１
【訂正方法】変更
【訂正の内容】
【００２１】
本発明の製法の実施に関する好適な方法では、被膜は、膜形成溶媒、親水性付与剤、抗菌剤及び熱保護剤を含有する。本発明の製法の実施に関するこの方法は、熱交換器に、特に有益な表面特性を付与する。このような方法は、自動車の空調回路において使用される蒸発器に求められる要件に関して特に好適な熱交換器の製造を可能にする。これは、蒸発器が、この内部を通過する空気から湿気を除去するためである。この熱交換器は、上述のように、有害な結果をもたらす凝縮物を発生するとの機能を有するが、これら有害な結果は、抗菌剤及び親水性付与剤によって制御される。
【誤訳訂正４】
【訂正対象書類名】明細書
【訂正対象項目名】００２７
【訂正方法】変更
【訂正の内容】
【００２７】
表面処理がアルミニウムストリップの製造の間に行われる場合には、本発明は、膜形成溶媒の熱酸化による有機物の排出を制御するとの他の利点を有する。この酸化は、圧延製造プロセスからのストリップの温度によって及び空気中の酸素の存在によって促進される。被膜の形成は、その温度抵抗性のため、寿命を減ずるものではない。追加の手段を使用することなく、被膜を乾燥させるとの利点を有する。ついで、アルミニウムストリップを巻取り、使用場所に移動させ、ここで、フィンに形成し、熱交換器の他の部材に組付ける。
【誤訳訂正５】
【訂正対象書類名】明細書
【訂正対象項目名】００５２
【訂正方法】変更
【訂正の内容】
【００５２】
【表１】
2008508103.tif 000001
【誤訳訂正６】
【訂正対象書類名】明細書
【訂正対象項目名】００５３
【訂正方法】変更
【訂正の内容】
【００５３】
上記の表が示すように、ここに記載の実施例において使用する被膜は、膜形成溶媒、２つの活性剤及び熱保護剤（結合剤及び断熱剤からなる）ものである。
【誤訳訂正７】
【訂正対象書類名】明細書
【訂正対象項目名】００５４
【訂正方法】変更
【訂正の内容】
【００５４】
膜形成溶媒は、キシレン及び１-メトキシ-２-プロピルアセテートの混合物である。この膜形成溶媒は、フィンの表面上で、被膜を形成させるように機能する。
【誤訳訂正書】
【提出日】平成24年7月12日(2012.7.12)
【誤訳訂正１】
【訂正対象書類名】特許請求の範囲
【訂正対象項目名】全文
【訂正方法】変更
【訂正の内容】
【特許請求の範囲】
【請求項１】
前癌病変部ＰＩＮと診断された人間における前立腺癌の発症を、前記人間の睡眠を阻害することなく防止するための、経口投与組成物の製造における化合物混合物の使用であり、
（a）化合物混合物が少なくとも総カテキン量８０％を含み、総カテキンの少なくとも５０％がＥＧＣＧであり、総カテキンの２０％未満が没食子酸およびその他のカテキンであり、
（b）組成物は少なくとも６ヶ月を越える期間にわたって、人間の前立腺癌の発症を予防するのに効果的なスケジュールと濃度でもって投与され、
（c）前記化合物混合物の有するカフェインが、１．５％未満である
ことを特徴とする使用。
【請求項２】
化合物が緑茶から単離されることを特徴とする、請求項１に記載の使用。
【請求項３】
前記前癌病変部ＰＩＮの段階が高悪性度前癌病変部ＰＩＮであることを特徴とする、請求項１または２に記載の使用。
【誤訳訂正２】
【訂正対象書類名】明細書
【訂正対象項目名】００１２
【訂正方法】変更
【訂正の内容】
【００１２】
従って、我々はこの仮説を証明するための研究を計画・行った。これを目的とし腫瘍の病気を発症するリスクの高い被験者の一群（前立腺針生検により、高悪性度前癌病変部ＰＩＮが判明した被験者）を、以下の処方を一日あたり６００ｍｇ投与する治療とプラシーボとにわけ（一日につき３回の投与に分割）全部で１年、二重盲検無作為工程へと供した。
【誤訳訂正３】
【訂正対象書類名】明細書
【訂正対象項目名】００１３
【訂正方法】変更
【訂正の内容】
【００１３】
高悪性度前癌病変部ＰＩＮの初期検査の後、被験者を３ヶ月ごとに招集し、３ヶ月分の治療に十分な量である９箱のカプセルを一度に与えた。各被験者はすでに輸入泌尿器科において行われた「静観」プログラムに以前参加している。３ヶ月ごとに各被験者を呼び出し、事歴の報告、客観的検査、トータルおよびフリーＰＳＡ量を測定した。研究の開始から６ヶ月および１２ヵ月後、事歴、客観的検査、経直腸超音波検査、および前立腺マッピングが泌尿器科によって行われた。生検サンプル数は８−１８個であった。観察期間中、初期前立腺針生検を高悪性度前癌病変部ＰＩＮを診るために行い、６ヶ月目、１年目にも前立腺針生検を行った。ただし、観察期間中にＰＳＡの急激な上昇、その他の臨床パラーメータの変化、または被験者が訴える特徴的な症状により早めの検査が必要だと判断された場合を除く。
【誤訳訂正４】
【訂正対象書類名】明細書
【訂正対象項目名】００１７
【訂正方法】変更
【訂正の内容】
【００１７】
結果：カテキン摂取被験者群においては、治療開始から６ヵ月後、１年後においても前立腺癌の発症は認められなかった。一方、プラシーボの被験者群においては、発症はそれぞれ３０％、４０％であり、予測した結果に非常に近いものであった。実際、発症率に関する科学文献を調べたところ、高悪性度前癌病変部ＰＩＮの患者における前立腺癌の発症リスクは１年以内で５０％であると推察される。
【誤訳訂正５】
【訂正対象書類名】明細書
【訂正対象項目名】００１８
【訂正方法】変更
【訂正の内容】
【００１８】
まとめると、発症リスクの高い（高悪性度前癌病変部ＰＩＮ）患者における６ヵ月後、１年後の前立腺癌の発症予防に以下に記載の処方が非常に効果的であることが証明された。
【誤訳訂正６】
【訂正対象書類名】明細書
【訂正対象項目名】００２６
【訂正方法】変更
【訂正の内容】
【００２６】
製品の客観的な効果および治療特性
十分な数の臨床例について我々が行った実験により、上述の処方のカプセルを３つ、他の治療や薬剤を併用することなく毎日投与すると、治療６ヶ月後、１年後にはリスクの高い患者（高悪性度前癌病変部ＰＩＮ）における前立腺癌の発症をゼロにまで低減するのに有効であることが証明された。
【誤訳訂正書】
【提出日】平成24年1月17日(2012.1.17)
【誤訳訂正１】
【訂正対象書類名】特許請求の範囲
【訂正対象項目名】全文
【訂正方法】変更
【訂正の内容】
【特許請求の範囲】
【請求項１】
Ｎ−ヒドロキシアルキル化アミドの（メタ）アクリレートを製造する方法において、
２´−ヒドロキシエチル−エチレン尿素、３´−ヒドロキシプロピル−エチレン尿素、２´−ヒドロキシプロピル−エチレン尿素、２´−ヒドロキシエチル−１，３−プロピレン尿素、２´−ヒドロキシプロピル−１，３−プロピレン尿素、３´−ヒドロキシプロピル−１，３−プロピレン尿素、２´−ヒドロキシエチル−１，２−プロピレン尿素、２´−ヒドロキシプロピル−１，２−プロピレン尿素、３´−ヒドロキシプロピル−１，２−プロピレン尿素、１−（２´−ヒドロキシエチル）イミダゾリジン−２，４−ジオン、１−（２´−ヒドロキシエチル）ジヒドロピリミジン−２，４−ジオン、または３−（２−ヒドロキシエチル）−オキサゾリジン−２−オンから選択される環状Ｎ−ヒドロキシアルキル化アミド（Ｃ）または
Ｎ−（２−ヒドロキシエチル）尿素、Ｎ−（２−ヒドロキシプロピル）尿素、Ｎ−（３−ヒドロキシプロピル）尿素、Ｎ´，Ｎ´−ジメチル−Ｎ−（２−ヒドロキシエチル）尿素、Ｎ´，Ｎ´−ジメチル−Ｎ−（２−ヒドロキシプロピル）尿素、Ｎ´，Ｎ´−ジメチル−Ｎ−（３−ヒドロキシプロピル）尿素、Ｎ´，Ｎ´−ジエチル−Ｎ−（２−ヒドロキシエチル）尿素、Ｎ´，Ｎ´−ジエチル−Ｎ−（２−ヒドロキシプロピル）尿素、Ｎ´，Ｎ´−ジエチル−Ｎ−（３−ヒドロキシプロピル）尿素、Ｎ´，Ｎ´−ジ−ｎ−ブチル−Ｎ−（２−ヒドロキシエチル）尿素、Ｎ´，Ｎ´−ジ−ｎ−ブチル−Ｎ−（２−ヒドロキシプロピル）尿素、及びＮ´，Ｎ´−ジ−ｎ−ブチル−Ｎ−（３−ヒドロキシプロピル）尿素から選択される開環状Ｎ−ヒドロキシアルキル化アミド（Ｏ）を、無機塩（Ｓ）および酵素（Ｅ）からなる群から選択される少なくとも１個の不均一触媒の存在下で（メタ）アクリル酸を用いてエステル化するかまたは少なくとも１個の（メタ）アクリル酸エステル（Ｄ）を用いてエステル交換し、
前記無機塩が、Ｌｉ３ＰＯ４、Ｋ３ＰＯ４、Ｎａ３ＰＯ４、Ｋ２ＣＯ３、およびＮａ２ＣＯ３およびこれらの水和物からなる群から選択され、
前記酵素がエステラーゼ（ＥＣ３.１−.−）、リパーゼ（ＥＣ３.１.１.３）、グリコシラーゼ（ＥＣ３.２−.−）およびプロテアーゼ（ＥＣ３.４−.−）からなる群から選択される方法。
【請求項２】
少なくとも１種の無機塩（Ｓ）が７.０より大きくなく、１.０より小さくないｐＫＢ値および２５℃で１ｇ／ｌより大きくない反応媒体中の溶解度を有する請求項１記載の方法。
【請求項３】
酵素がＮｏｖｏｚｙｍ（登録商標）４３５（カンジダアンタルクチカＢからのリパーゼ）、アルカリゲネス種、アスペルギルス種、ムコル種、ペニシリウム種、ゲオトリクム種、リゾプス種、ブルクホルデリア種、カンジダ種、シュードモナス種、テルモミセス種またはブタ膵臓からのリパーゼからなる群から選択される請求項１記載の方法。
【誤訳訂正２】
【訂正対象書類名】明細書
【訂正対象項目名】００２８
【訂正方法】変更
【訂正の内容】
【００２８】
有利な個々の（Ｏ）はＮ−（２−ヒドロキシエチル）尿素,Ｎ−（２−ヒドロキシプロピル）尿素、Ｎ−（３−ヒドロキシプロピル）尿素、Ｎ´，Ｎ´−ジメチル−Ｎ−（２−ヒドロキシエチル）尿素、Ｎ´，Ｎ´−ジメチル−Ｎ−（２−ヒドロキシプロピル）尿素、Ｎ´，Ｎ´−ジメチル−Ｎ−（３−ヒドロキシプロピル）尿素、Ｎ´，Ｎ´−ジエチル−Ｎ−（２−ヒドロキシエチル）尿素、Ｎ´，Ｎ´−ジエチル−Ｎ−（２−ヒドロキシプロピル）尿素、Ｎ´，Ｎ´−ジエチル−Ｎ−（３−ヒドロキシプロピル）尿素、Ｎ´，Ｎ´−ジ−ｎ−ブチル−Ｎ−（２−ヒドロキシエチル）尿素、Ｎ´，Ｎ´−ジ−ｎ−ブチル−Ｎ−（２−ヒドロキシプロピル）尿素、およびＮ´，Ｎ´−ジ−ｎ−ブチル−Ｎ−（３−ヒドロキシプロピル）尿素であり、特にＮ−（２−ヒドロキシエチル）尿素、Ｎ−（２−ヒドロキシプロピル）尿素、およびＮ−（３−ヒドロキシプロピル）尿素である。
【誤訳訂正３】
【訂正対象書類名】明細書
【訂正対象項目名】００５１
【訂正方法】変更
【訂正の内容】
【００５１】
本発明により使用される酵素（Ｅ）は例えばヒドロラーゼ（Ｅ．Ｃ．３．−．−．−）から選択され、これらのうち、特にエステラーゼ（Ｅ．Ｃ．３．１．−．−）、リパーゼ（Ｅ．Ｃ．３．１．１．３）、グリコシラーゼ（Ｅ．Ｃ．３．２．−．−）およびプロテアーゼ（Ｅ．Ｃ．３．４．−．−）から選択され、遊離した形でまたは担体に化学的にまたは物理的に固定された形で存在し、有利にリパーゼ、エステラーゼまたはプロテアーゼであり、特にエステラーゼ（Ｅ．Ｃ．３．１．−．−）である。特に有利にＮｏｖｏｚｙｍｅ（登録商標）４３５（カンジダアンタルクチカＢからのリパーゼ）またはアルカリゲネス種、アスペルギルス種、ムコル種、ペニシリウム種、ゲオトリクム種、リゾプス種、ブルクホリデリア種、カンジダ種、シュードモナス種、テルモミセス種またはブタすい臓であり、特に有利にカンジダアンタルクチアＢまたはブルクホルデリア種からのリパーゼである。
【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
糖尿病患者の血糖値制御の改善のために、肝臓グルコース産生抑制剤での治療と並行して少なくとも１回の食事と共に日常的に該糖尿病患者に投与されることを特徴とする超速効型インスリン製剤。
【請求項２】
インスリン−フマリルジケトピペラジンを含む、請求項１に記載の超速効型インスリン製剤。
【請求項３】
前記肝臓グルコース産生抑制剤はメトホルミンである、請求項１または２に記載の超速効型インスリン製剤。
【請求項４】
投与後６０分以内に肝臓グルコース産生を極限まで減少させるのに十分な用量で投与される、請求項１から３のいずれか１項に記載の超速効型インスリン製剤。
【請求項５】
１〜３２皮下当量単位の範囲の用量で投与される、請求項１から４のいずれか１項に記載の超速効型インスリン製剤。
【請求項６】
１５ｇを超える炭水化物を含有する各々の食事と共に投与される、請求項１から５のいずれか１項に記載の超速効型インスリン製剤。
【請求項７】
吸入により投与される、請求項１から６のいずれか１項に記載の超速効型インスリン製剤。
【請求項８】
前記糖尿病患者は２型糖尿病患者である、請求項１から７のいずれか１項に記載の超速効型インスリン製剤。
【請求項９】
前記糖尿病患者は、インスリン抵抗性スペクトルの下部におけるインスリン抵抗性を有する、請求項１から７のいずれか１項に記載の超速効型インスリン製剤。
【請求項１０】
前記糖尿病患者は、体重増加を減らすまたは避ける必要がある者である、請求項１から７のいずれか１項に記載の超速効型インスリン製剤。
【請求項１１】
前記糖尿病患者は、十分にまたは適度に制御された空腹時血中グルコースを有する者である、請求項１から７のいずれか１項に記載の超速効型インスリン製剤。
【請求項１２】
前記糖尿病患者は、ＨｂＡ１ｃレベルが８以上の者である、請求項１から７のいずれか１項に記載の超速効型インスリン製剤。
【請求項１３】
前記糖尿病患者は、グルコース可動域の平均振幅の上昇がある者である、請求項１から７のいずれか１項に記載の超速効型インスリン製剤。
【請求項１４】
糖尿病患者の血糖値制御の改善のために、毎日の食事の少なくとも１回の食事時間に、該毎日の食事の食事量が変動したとしても、該糖尿病患者の通常の食事量に応じて決定された所定の標準用量で、投与されることを特徴とする超速効型インスリン製剤。
【請求項１５】
前記毎日の食事の食事量は、前記通常の食事量の２５％以上から２５０％以下の範囲で変動する、請求項１４に記載の超速効型インスリン製剤。
【請求項１６】
前記超速効型インスリン製剤はインスリン−フマリルジケトピペラジンである、請求項１４または１５に記載の超速効型インスリン製剤。
【請求項１７】
前記毎日の食事のたびに投与される、請求項１４から１６のいずれか１項に記載の超速効型インスリン製剤。
【請求項１８】
前記毎日の食事で同量の前記標準用量が用いられる、請求項１４から１７のいずれか１項に記載の超速効型インスリン製剤。
【請求項１９】
前記標準用量は前記毎日の食事のたびに決定される、請求項１４から１７のいずれか１項に記載の超速効型インスリン製剤。
【請求項２０】
前記毎日の食事の食事量及び前記通常の食事量は血糖負荷により評価される、請求項１４から１９のいずれか１項に記載の超速効型インスリン製剤。
【請求項２１】
前記毎日の食事の食事量及び前記通常の食事量はカロリー含量により評価される、請求項１４から１９のいずれか１項に記載の超速効型インスリン製剤。
【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
下記の構造を有する化合物またはその製薬上許容し得る塩：
【化１】
2012500205.tif 000001
(式中、各R1は、個々に、‐Hまたは低級アルキルであり；
各R2は、個々に、メチル以外の直鎖または枝分れ鎖のアルキル、シクロアルキル、複素環、アリール、ヘテロアリール、アルケニル、アルキニル、Cl、Br、I、ヒドロキシ、アルコキシ、アルキルアミノ、アルキルカルボキシル、トリフルオロメチル、‐N(R4)2、‐CN、‐CO2R4、‐CH2OH、‐OCF3、‐OCHF2または‐NO2であり；各R2は、カルボニル成分に対してメタ‐またはパラ‐位置にあり；
各R3は、個々に、直鎖または枝分れ鎖のアルキル、シクロアルキル、複素環、アリール、ヘテロアリール、アルケニル、アルキニル、Cl、Br、I、ヒドロキシ、アルコキシ、アルキルアミノ、アルキルカルボキシル、トリフルオロメチル、‐N(R4)2、‐CN、‐CO2R4、‐CH2OH、‐OCF3、‐OCHF2または‐NO2であり；
各R4は、個々に、H、直鎖または枝分れ鎖のアルキル、シクロアルキル、アリール、ヘテロアリール、ハロアルキル、ヒドロキシ、アルコキシ、ヒドロキシアルキル、アルキルカルボニル、ホルミル、オキシカルボニル、カルボキシル、アルキルカルボキシレート、アルキルアミド、アミノ、アルキルアミノまたはアミノカルボニルであり；
Z1、Z2、Z3、Z4、Z5およびZ6は、各々、個々に、Cであるか又はその１つがNであり；
Xは、F、Cl、BrまたはIであり；
各nは、個々に、1〜5であり；そして、
pは、1である)。
【請求項２】
前記Xが、F、ClまたはBrである、請求項１記載の化合物。
【請求項３】
前記各R2が、個々に、アルキル、Cl、Br、I、アルコキシまたは‐NO2である、請求項２記載の化合物。
【請求項４】
pが1であり、Z1、Z2、Z3、Z4、Z5およびZ6が、各々、Cである、請求項１記載の化合物。
【請求項５】
下記の構造のいずれか１つを有する、請求項４記載の化合物：
【化２】
2012500205.tif 000002
【化３】
2012500205.tif 000003
又は、(-)-5-ブロモ-N-(2,2,2-トリクロロ-1-(4-クロロフェニルアミノ)エチル)ピコリンアミド。
【請求項６】
pが１であり、Z1、Z2、Z3、Z4、Z5およびZ6の１つがNである、請求項１記載の化合物。
【請求項７】
下記の構造を有する、請求項６記載の化合物：
【化４】
2012500205.tif 000004
【請求項８】
下記の構造を有する、請求項１記載の化合物：
【化５】
2012500205.tif 000005
(式中、Xは、Cl、FまたはBrであり；
R2は、メチル以外の直鎖または枝分れ鎖のアルキル、シクロアルキル、複素環、アリール、ヘテロアリール、アルケニル、アルキニル、Cl、Br、I、ヒドロキシ、アルコキシ、アルキルアミノ、アルキルカルボキシル、トリフルオロメチル、‐N(R4)2、‐CN、‐CO2R4、‐CH2OH、‐OCF3、‐OCHF2または‐NO2であり；
各R3は、個々に、直鎖または枝分れ鎖のアルキル、シクロアルキル、複素環、アリール、ヘテロアリール、アルケニル、アルキニル、Cl、Br、I、ヒドロキシ、アルコキシ、アルキルアミノ、アルキルカルボキシル、トリフルオロメチル、‐N(R4)2、‐CN、‐CO2R4、‐CH2OH、‐OCF3、‐OCHF2または‐NO2であり；
各R4は、個々に、H、直鎖または枝分れ鎖のアルキル、シクロアルキル、アリール、ヘテロアリール、ハロアルキル、ヒドロキシ、アルコキシ、ヒドロキシアルキル、アルキルカルボニル、ホルミル、オキシカルボニル、カルボキシル、アルキルカルボキシレート、アルキルアミド、アミノ、アルキルアミノまたはアミノカルボニルであり；そして、
nは、1〜5である)。
【請求項９】
下記の構造を有する、請求項１記載の化合物：
【化６】
2012500205.tif 000006
(式中、Xは、Cl、FまたはBrであり；
R2は、メチル以外の直鎖または枝分れ鎖のアルキル、シクロアルキル、複素環、アリール、ヘテロアリール、アルケニル、アルキニル、Cl、Br、Ｉ、ヒドロキシ、アルコキシ、アルキルアミノ、アルキルカルボキシル、トリフルオロメチル、‐N(R4)2、‐CN、‐CO2R4、‐CH2OH、‐OCF3、‐OCHF2または‐NO2であり；
R3は、個々に、直鎖または枝分れ鎖のアルキル、シクロアルキル、複素環、アリール、ヘテロアリール、アルケニル、アルキニル、Cl、Br、I、ヒドロキシ、アルコキシ、アルキルアミノ、アルキルカルボキシル、トリフルオロメチル、‐N(R4)2、‐CN、‐CO2R4、‐CH2OH、‐OCF3、‐OCHF2または‐NO2であり；
各R4は、個々に、H、直鎖または枝分れ鎖のアルキル、シクロアルキル、アリール、ヘテロアリール、ハロアルキル、ヒドロキシ、アルコキシ、ヒドロキシアルキル、アルキルカルボニル、ホルミル、オキシカルボニル、カルボキシル、アルキルカルボキシレート、アルキルアミド、アミノ、アルキルアミノまたはアミノカルボニルであり；そして、
nは、1〜5である)。
【請求項１０】
請求項１の少なくとも１種の化合物を、それ用の製薬上許容し得る担体中に含む、製薬組成物。
【請求項１１】
疼痛、ドライアイ、血管形成障害、または創傷治癒から選択される疾患の治療のための製薬組成物の調製における請求項１記載の化合物の使用。
【請求項１２】
前記疾患が、慢性疼痛である、請求項１１記載の使用。
【請求項１３】
前記疾患が、急性疼痛である、請求項１１記載の使用。
【請求項１４】
前記製薬組成物が経口投与用である、請求項１１記載の使用。
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
有効量のＤ−リボースを含んで成る疲労軽減剤であって、疲労症状を経験している高齢対象に経口投与される剤。
【請求項２】
前記Ｄ−リボースの有効量が、０．１〜３グラムを少なくとも１日２回である、請求項１に記載の剤。
【請求項３】
前記Ｄ−リボースの有効量が、１日０．２〜６グラムである、請求項１に記載の剤。
【請求項４】
前記疲労症状が、疲れ、眠気、嗜眠、不快感、及び／又は脱力感を含む、請求項１に記載の剤。
【請求項５】
単一生成物として又は他の栄養補助食品、医薬品、又は食品と組み合わせて投与される、請求項１に記載の剤。
【請求項６】
ロゼンジ、錠剤、又は徐放性錠剤に配合されているか、水に溶解されている、請求項５に記載の剤。
【請求項７】
前記有効量のＤ−リボースが、食物に振りかけられる、請求項１に記載の剤。
【請求項８】
有効量のＤ−リボースを含んで成るクオリティ・オブ・ライフ低下軽減剤であって、クオリティ・オブ・ライフの低下を経験している高齢対象に経口投与される剤。
【請求項９】
前記Ｄ−リボースの有効量が、０．１〜３グラムを少なくとも１日２回である、請求項８に記載の剤。
【請求項１０】
前記Ｄ−リボースの有効量が、１日に１〜６グラムである、請求項８に記載の剤。
【請求項１１】
前記クオリティ・オブ・ライフの低下が、活力、社会生活機能、精神的健康、及び／又は思考力の低下を含む、請求項８に記載の剤。
【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
下記式(I)：
【化１】
2012500264.tif 000001
の(3R)-ヒドロキシ酪酸(3R)-ヒドロキシブチルについて鏡像異性的に濃縮された3-ヒドロキシ酪酸3-ヒドロキシブチルである化合物。
【請求項２】
請求項1に記載の化合物と、食餌療法的又は医薬的に許容できる担体とを含む摂取可能組成物。
【請求項３】
食物製品、飲料、ドリンク、食物サプリメント、食餌性サプリメント、機能性食品、栄養補助食品又は薬物である、請求項2に記載の組成物。
【請求項４】
療法によるヒト又は動物の体の治療に使用するための請求項2又は3に記載の組成物。
【請求項５】
ヒト又は動物対象内の遊離脂肪酸の血漿レベル上昇によって引き起こされるか、悪化するか又は関連する状態を治療するのに使用するための請求項4に記載の組成物。
【請求項６】
体重減少又は体重増加が関係する状態を治療するのに使用するための請求項4に記載の組成物。
【請求項７】
食欲を抑制し、肥満を治療し、体重減少を促進し、健康体重を維持し、又は対象内の贅肉の取れた筋肉に対する脂肪の割合を低減するのに使用するための請求項4に記載の組成物。
【請求項８】
認知機能障害、神経変性疾患又は障害、筋肉機能障害、疲労及び筋肉疲労から選択される状態を予防又は治療するのに使用するための請求項4に記載の組成物。
【請求項９】
糖尿病、甲状腺機能亢進、代謝症候群Xから選択される状態に苦しむ患者を治療するのに使用するため、又は老齢期の患者を治療するための請求項4に記載の組成物。
【請求項１０】
神経変性、フリーラジカル毒性、低酸素状態又は高血糖の作用を治療、予防、又は軽減するのに使用するための請求項4に記載の組成物。
【請求項１１】
神経変性の作用を治療、予防、又は軽減するのに使用するための請求項4に記載の組成物。
【請求項１２】
前記神経変性が、加齢、外傷、無酸素又は神経変性疾患若しくは障害によって引き起こされる、請求項10又は11に記載の組成物。
【請求項１３】
アルツハイマー病、パーキンソン病、筋萎縮性側索硬化症、てんかん、星状細胞腫、神経膠芽腫及びハンチントン舞踏病から選択される神経変性疾患又は障害を治療するのに使用するための請求項4に記載の組成物。
【請求項１４】
覚醒を促すか又は認知機能を改善するのに使用するための請求項4に記載の組成物。
【請求項１５】
治療する状態の標準的療法と組み合わせて使用するための請求項5〜14のいずれか1項に記載の組成物。
【手続補正書】
【提出日】平成24年8月16日(2012.8.16)
【手続補正１】
【補正対象書類名】特許請求の範囲
【補正対象項目名】全文
【補正方法】変更
【補正の内容】
【特許請求の範囲】
【請求項１】
式ＩＩ：
【化４】
2012500245.tif 000001
の化合物（場合により、その互変異性体、薬学的に許容しうる塩またはプロドラッグの形態である）の、経皮的インターベンション心臓カテーテル法における補助的薬物療法用の医薬の製造のための使用。
【請求項２】
式ＩＩの化合物のプロドラッグが、式Ｉ：
【化５】
2012500245.tif 000002
の化合物（場合により、その互変異性体および薬学的に許容しうる塩の形態である）である、請求項１記載の経皮的インターベンション心臓カテーテル法における補助的薬物療法用の医薬としての使用。
【請求項３】
一日あたり、５０〜４００mgの間、特に好ましくは、７５〜３５０mgの式Ｉの化合物を投与する、請求項２記載の使用。
【請求項４】
薬学的に許容しうる塩が、塩酸塩、臭化水素酸塩、ヨウ化水素酸塩、ヒドロスルファート、ヒドロホスファート、ヒドロメタンスルホナート、ヒドロニトラート、ヒドロマレアート、ヒドロアセタート、ヒドロベンゾアート、ヒドロシトラート、ヒドロフマラート、ヒドロタルトラート、ヒドロラクタート、ヒドロオキサラート、ヒドロスクシナート、ヒドロベンゾアートおよびヒドローｐートルエンスルホナートから選択される酸付加塩を含む、請求項２〜３のいずれか一項記載の使用。
【請求項５】
薬学的に許容しうる塩が、塩酸塩、臭化水素酸塩、ヒドロスルファート、ヒドロホスファート、ヒドロマレアート、ヒドロフマラートおよびヒドロメタンスルホナートを含む、請求項２〜４のいずれか一項記載の使用。
【請求項６】
経皮的インターベンション心臓カテーテル法における補助的薬物療法用の医薬としての、式Ｉ：
【化６】
2012500245.tif 000003
（場合により、その互変異性体および薬学的に許容しうる塩の形態である）の化合物。
【請求項７】
薬学的に許容しうる塩が、塩酸塩、臭化水素酸塩、ヨウ化水素酸塩、ヒドロスルファート、ヒドロホスファート、ヒドロメタンスルホナート、ヒドロニトラート、ヒドロマレアート、ヒドロアセタート、ヒドロベンゾアート、ヒドロシトラート、ヒドロフマラート、ヒドロタルトラート、ヒドロラクタート、ヒドロオキサラート、ヒドロスクシナート、ヒドロベンゾアートおよびヒドローｐートルエンスルホナートから選択される酸付加塩を含む、請求項６記載の使用のための式Ｉの化合物。
【請求項８】
薬学的に許容しうる塩が、塩酸塩、臭化水素酸塩、ヒドロスルファート、ヒドロホスファート、ヒドロマレアート、ヒドロフマラートおよびヒドロメタンスルホナートを含む、請求項６または７記載の使用のための式Ｉの化合物。
【請求項９】
経皮的インターベンション心臓カテーテル法における補助的薬物療法用の、式Ｉ：
【化７】
2012500245.tif 000004
（場合により、その互変異性体および薬学的に許容しうる塩の形態である）の化合物を含む医薬組成物。
【手続補正書】
【提出日】平成24年8月9日(2012.8.9)
【手続補正１】
【補正対象書類名】明細書
【補正対象項目名】０００１
【補正方法】変更
【補正の内容】
【０００１】
本出願は、「（Ｒ）−プラミペキソールを用いた方法及び組成物」を表題とした２００８年８月１９日付出願の米国仮特許出願第６０／０９０，０９４号、「（Ｒ）−プラミペキソールを用いた方法及び組成物」を表題とした２００８年１１月１２日出願の仮特許出願第６１／１１３，６８０号に対して優先権を主張するものであり、前記出願は本参照により組み込まれるものである。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正２】
【補正対象書類名】明細書
【補正対象項目名】０００２
【補正方法】変更
【補正の内容】
【０００２】
【特許文献１】  米国特許出願公開第２００５／００３１６６７号明細書
【特許文献２】  米国特許出願公開第２００７／０２５９９３０号明細書
【特許文献３】  米国特許第６９２９８０１号明細書
【特許文献４】  米国特許出願公開第２００４／００９７５４０号明細書
【特許文献５】  米国特許第６７５０２３５号明細書
【特許文献６】  米国特許出願公開第２００７／０２０３２０９号明細書
【特許文献７】  米国特許出願公開第２００２／０１０６７３１号明細書
【特許文献８】  米国特許出願公開第２００６／０２８６１６７号明細書
【非特許文献】
【手続補正３】
【補正対象書類名】明細書
【補正対象項目名】０００３
【補正方法】変更
【補正の内容】
【０００３】
【非特許文献１】Ｓｃｈｕｅｌｋｅ  ｅｔ．ａｌ．  Ｇｒｏｓｓ  Ｍｕｓｃｌｅ  Ｈｙｐｅｒｔｒｏｐｈｙ  ｉｎ  ａ  Ｃｈｉｌｄ．Ｎ  Ｅｎｇｌ  Ｊ  Ｍｅｄ，  ２００４  Ｖｏｌ  ５０：２６８２−８；  ｐｇ  ２６８２，  ｐａｒａ  １
【発明の概要】
【発明の効果】
【手続補正４】
【補正対象書類名】明細書
【補正対象項目名】０００４
【補正方法】変更
【補正の内容】
【０００４】
本発明の種々の実施形態は、（６Ｒ）−４，５，６，７−テトラヒドロ−Ｎ６−プロピル−２，６−ベンゾチアゾール−ジアミンの治療的有効量を含む第１の成分と、１若しくはそれ以上の第２の治療薬の治療的有効量を含む第２の成分とを有する多成分治療を対象とするものである。一部の実施形態において、前記第２の成分は、ドーパミンアゴニスト、ドーパミン作動アゴニスト、ＣＯＭＴ阻害剤、ＭＯＡ阻害剤、興奮性アミノ酸アンタゴニスト、成長因子、神経成長因子、抗酸化剤、抗炎症剤、免疫調節物質、抗グルタミン作用剤、イオンチャネル遮断剤、α−アミノ−３−ヒドロキシ−５−メチル−４−イソキサゾールプロピオン酸（ＡＭＰＡ）受容体アンタゴニスト、熱ショックタンパク質誘導剤／タンパク質分解剤、及びダウンレギュレーター、モノアミンオキシダーゼタイプＢ（ＭＯＡＢ）阻害剤、マルチターゲット剤、キナーゼ阻害剤、Ｂｃ１タンパク質誘導因子、ヒストン脱アセチル化酵素（ＨＤＡＣ）メディエーター、グリア調整剤、ミトコンドリアエネルギー促進剤、ミオスタチン阻害剤、カスパーゼ阻害剤及びそれらの組み合わせである。
本願の他の実施形態は、（６Ｒ）−４，５，６，７−テトラヒドロ−Ｎ６−プロピル−２，６−ベンゾチアゾール−ジアミンの治療的有効量を含む第１の成分を患者に投与する工程と、１若しくはそれ以上の第２の治療薬の治療的有効量を含む第２の成分を患者に併用して投与する工程とを含む神経変性疾患を治療する方法を対象とする。一部の実施形態において、前記第２の成分は、ドーパミンアゴニスト、ドーパミン作動アゴニスト、ＣＯＭＴ阻害剤、ＭＯＡ阻害剤、興奮性アミノ酸アンタゴニスト、成長因子、神経成長因子、抗酸化剤、抗炎症剤、免疫調節物質、抗グルタミン作用剤、イオンチャネル遮断剤、α−アミノ−３−ヒドロキシ−５−メチル−４−イソキサゾールプロピオン酸（ＡＭＰＡ）受容体アンタゴニスト、熱ショックタンパク質誘導剤／タンパク質分解剤、及びダウンレギュレーター、モノアミンオキシダーゼタイプＢ（ＭＯＡＢ）阻害剤、マルチターゲット剤、キナーゼ阻害剤、Ｂｃ１タンパク質誘導因子、ヒストン脱アセチル化酵素（ＨＤＡＣ）メディエーター、グリア調整剤、ミトコンドリアエネルギー促進剤、ミオスタチン阻害剤、カスパーゼ阻害剤及びそれらの組み合わせから選択されるものである。別の実施形態において、神経変性疾患は、ハンチントン舞踏病、代謝的誘導神経障害、アルツハイマー型老年性認知症、加齢性認知機能障害、血管性認知症、多発梗塞性認知症、レヴィー小体認知症、神経変性認知症、神経変性運動障害、運動失調、フリードライヒ運動失調症、多発性硬化症、脊髄性筋萎縮症、原発性側索硬化症、痙攣性疾患、運動神経疾患、炎症性脱髄性疾患、アルツハイマー病、パーキンソン病、筋萎縮性側索硬化症、肝性脳症、慢性脳炎から選択されるものである。
添付の図面と関連して以下の詳細な説明を参照することにより、本発明の特徴及び有利な点を完全に理解される。
【図面の簡単な説明】
【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
最大１０００００ダルトンの分子量を有するタンパク質と、
プロテアーゼインヒビターと、および、
Ｎ−（８−［２−ヒドロキシベンゾイル］アミノ）カプリル酸（ＳＮＡＣ）、Ｎ−（１０−［２−ヒドロキシベンゾイル］アミノ）デカン酸（ＳＮＡＤ）、前記ＳＮＡＣまたは前記ＳＮＡＤの塩、および、それらの組み合わせからなる群から選択される化合物とを含むことを特徴とする経口医薬組成物。
【請求項２】
前記タンパク質が組み換えタンパク質であることを特徴とする請求項１記載の組成物。
【請求項３】
前記エンハンサーが、前記ＳＮＡＣまたは前記ＳＮＡＤの塩であり、前記塩が、一ナトリウム塩、ジナトリウム塩、および、それらの組み合わせからなる群から選択されることを特徴とする請求項１記載の組成物。
【請求項４】
前記タンパク質が、インスリン、グルカゴン、インターフェロン・ガンマ、インターフェロン・アルファ、成長ホルモン、エリスロポエチン、ＧＬＰ−１、ＧＬＰ−１アナログ、および、顆粒球コロニー刺激因子（Ｇ−ＣＳＦ）からなる群から選択されることを特徴とする請求項１記載の組成物。
【請求項５】
前記プロテアーゼインヒビターが、セルピン、自殺阻害剤、遷移状態阻害剤、タンパク質プロテアーゼインヒビター、キレート剤、システインプロテアーゼインヒビター、トレオニンプロテアーゼインヒビター、アスパラギン酸プロテアーゼインヒビター、および、メタロプロテアーゼインヒビターからなる群から選択されることを特徴とする請求項１記載の組成物。
【請求項６】
前記プロテアーゼインヒビターがセルピンであり、前記セルピンがトリプシンインヒビターであることを特徴とする請求項５記載の組成物。
【請求項７】
前記プロテアーゼインヒビターが、リママメトリプシンインヒビター、アプロチニン、大豆トリプシンインヒビター（ＳＢＴＩ）、および、オボムコイドからなる群から選択されることを特徴とする請求項１記載の組成物。
【請求項８】
オメガ３脂肪酸をさらに含むことを特徴とする請求項１記載の組成物。
【請求項９】
ＥＤＴＡまたはその塩をさらに含むことを特徴とする請求項１記載の組成物。
【請求項１０】
被験体の胃において前記組成物の消化を抑制するコーティング、腸内コーティング、または、ゼラチンコーティングをさらに含むことを特徴とする請求項１記載の組成物。
【請求項１１】
被験体にタンパク質を経口投与するためのものである請求項１に記載の組成物。
【請求項１２】
前記タンパク質が、被験体の真性糖尿病の処置における使用のためのものであると認められる組成物である、インスリン、エクセナチド、および、それらの組み合わせからなる群から選択されることを特徴とする請求項１に記載の組成物。
【請求項１３】
必要のある被験体に対する前記タンパク質の経口投与用の使用のためのものであると認められる、請求項１乃至１１のいずれかに記載の組成物。
【請求項１４】
必要のある被験体に対して前記タンパク質を経口投与するための薬物の製造における、請求項１乃至１１のいずれかに記載の医薬組成物の使用。
【請求項１５】
最大１０００００ダルトンの分子量を有するタンパク質を非ヒト被験体に経口投与するための方法であって、
前記方法は、
前記タンパク質と、プロテアーゼインヒビターと、および、Ｎ−（８−［２−ヒドロキシベンゾイル］アミノ）カプリル酸（ＳＮＡＣ）、Ｎ−（１０−［２−ヒドロキシベンゾイル］アミノ）デカン酸（ＳＮＡＤ）、前記ＳＮＡＣまたは前記ＳＮＡＤの塩、および、それらの組み合わせからなる群から選択される化合物とを含む医薬組成物を、前記被験体に経口投与する工程を含むことを特徴とする方法。
【請求項１６】
前記タンパク質が組み換えタンパク質であることを特徴とする請求項１５記載の方法。
【請求項１７】
前記タンパク質が、インスリン、グルカゴン、インターフェロン・ガンマ、インターフェロン・アルファ、成長ホルモン、エリスロポエチン、ＧＬＰ−１、ＧＬＰ−１アナログ、または、顆粒球コロニー刺激因子（Ｇ−ＣＳＦ）からなる群から選択されることを特徴とする請求項１５記載の方法。
【請求項１８】
非ヒト被験体の真性糖尿病を処置する方法であって、
前記方法は、
インスリン、エクセナチドまたはそれらの組み合わせと、プロテアーゼインヒビターと、および、Ｎ−（８−［２−ヒドロキシベンゾイル］アミノ）カプリル酸（ＳＮＡＣ）、Ｎ−（１０−［２−ヒドロキシベンゾイル］アミノ）デカン酸（ＳＮＡＤ）、前記ＳＮＡＣまたは前記ＳＮＡＤの塩、および、それらの組み合わせからなる群から選択される化合物とを含む医薬組成物を、前記被験体に経口投与する工程を含むことを特徴とする方法。
【請求項１９】
前記インスリンまたはエクセナチドが、組み換えインスリンまたはエクセナチドであることを特徴とする請求項１８記載の方法。
【請求項２０】
前記エンハンサーが、前記ＳＮＡＣまたは前記ＳＮＡＤの塩であり、前記塩が、一ナトリウム塩、ジナトリウム塩、および、それらの組み合わせからなる群から選択されることを特徴とする請求項１５乃至１９のいずれかに記載の方法。
【請求項２１】
前記医薬組成物がオメガ３脂肪酸をさらに含むことを特徴とする請求項１５乃至２０のいずれかに記載の方法。
【請求項２２】
前記プロテアーゼインヒビターが、セルピン、自殺阻害剤、遷移状態阻害剤、タンパク質プロテアーゼインヒビター、キレート剤、システインプロテアーゼインヒビター、トレオニンプロテアーゼインヒビター、アスパラギン酸プロテアーゼインヒビター、および、メタロプロテアーゼインヒビターからなる群から選択されることを特徴とする請求項１５乃至２１のいずれかに記載の方法。
【請求項２３】
前記プロテアーゼインヒビターがセルピンであり、前記セルピンがトリプシンインヒビターであることを特徴とする請求項２２に記載の方法。
【請求項２４】
前記プロテアーゼインヒビターが、リママメトリプシンインヒビター、アプロチニン、大豆トリプシンインヒビター（ＳＢＴＩ）、および、オボムコイドからなる群から選択されることを特徴とする請求項１５乃至２１のいずれかに記載の方法。
【請求項２５】
前記医薬組成物は、ＥＤＴＡまたはその塩をさらに含むことを特徴とする請求項１５乃至２４のいずれかに記載の方法。
【請求項２６】
前記医薬組成物は、被験体の胃において前記医薬組成物の消化を抑制するコーティング、腸内コーティング、または、ゼラチンコーティングをさらに含むことを特徴とする請求項１５乃至２５のいずれかに記載の方法。
【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
Ｎ−アルキル（アルキル）アクリルアミドの製造方法であって：
Ｎ−アルキルアミンを含む水溶液を提供する工程；
沈殿したＮ−アルキル（アルキル）アクリルアミドを生成させるために前記水溶液に塩基及び所定量の（アルキル）アクリル酸無水物を加える工程；及び
随意に、沈殿したＮ−アルキル（アルキル）アクリルアミドを前記水溶液から除去するために前記水溶液をろ過する工程を含む方法。
【請求項２】
Ｎ−アルキル（メタ）アクリルアミドの製造方法であって：
Ｎ−アルキルアミンを含む水溶液を提供する工程；
沈殿したＮ−アルキル（メタ）アクリルアミドを生成するために前記水溶液に塩基及び所定量の（メタ）アクリル酸無水物を加える工程；
随意に、沈殿したＮ−アルキル（アルキル）アクリルアミドを前記水溶液から除去するために前記水溶液をろ過する工程；及び
随意に、前記Ｎ−アルキル（メタ）アクリルアミドからいかなる混入物質をも除去するために、前記ろ過された沈殿したＮ−アルキル（メタ）アクリルアミドを洗浄する工程を含む方法。
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
ビャクシ、ジオウ、ビャクジュツ、カンゾウ、ダイオウ、ビャクギュウ、カシュウ、キ
キョウ、ヤクモソウ及びサンヤクから選ばれる植物又はその抽出物を有効成分とするセラ
ミド産生促進剤。
【請求項２】
前記ビャクシ、ビャクジュツ、ビャクギュウ、カシュウ、キキョウ、ヤクモソウ又はサ
ンヤクの抽出物が、抽出溶剤として石油エーテルを用いて得られた石油エーテル抽出物で
ある、請求項１記載のセラミド産生促進剤。
【請求項３】
前記ジオウ又はカンゾウの抽出物が、抽出溶剤として順次に石油エーテル及びエタノー
ルを用いて得られたエタノール抽出物である、請求項１記載のセラミド産生促進剤。
【請求項４】
前記ダイオウの抽出物が、抽出溶剤として順次に石油エーテル、エタノール及び水を用
いて得られた水抽出物である、請求項１記載のセラミド産生促進剤。
【請求項５】
ヤクモソウ及びサンヤクから選ばれる植物又はその抽出物を有効成分とする保湿剤。
【請求項６】
前記ヤクモソウ又はサンヤクの抽出物が、抽出溶剤として石油エーテルを用いて得られ
た石油エーテル抽出物である、請求項５記載の保湿剤。
【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
不飽和アルファ，オメガジカルボン酸および／または不飽和アルファ，オメガジカルボン酸ジエステルの製造方法であって、
触媒（１）：
【化１】
2012500237.tif 000001
、および／または、触媒（２）：
【化２】
2012500237.tif 000002
の存在下で、不飽和カルボン酸および／または不飽和カルボン酸エステルを反応させる方法。
【請求項２】
不飽和Ｃ１４〜Ｃ２４カルボン酸を用いることを特徴とする請求項１に記載の方法。
【請求項３】
不飽和カルボン酸がＣ１４〜Ｃ２４のカルボン酸である場合、不飽和カルボン酸エステルを用いることを特徴とする請求項１に記載の方法。
【請求項４】
Ｃ１〜Ｃ８のアルコールと不飽和カルボン酸のエステル、および／または、グリセロールと不飽和カルボン酸のエステルをエステルとして用いることを特徴とする請求項３に記載の方法。
【請求項５】
グリセロールエステルがグリセロールモノエステル、グリセロールジエステルおよびグリセロールトリエステルからなる群から選択されることを特徴とする、請求項４に記載の方法。
【請求項６】
モノ不飽和カルボン酸を用いることを特徴とする請求項１〜５のいずれかに記載の方法。
【請求項７】
触媒を１０〜１０００ｐｐｍ、好ましくは２０〜２００ｐｐｍの量で用いることを特徴とする請求項１〜６のいずれかに記載の方法。
【請求項８】
０〜１００℃、好ましくは２０〜９０℃、特に４０〜８０℃で反応を行うことを特徴とする請求項１〜７のいずれかに記載の方法。
【請求項９】
溶媒を用いない方法であることを特徴とする請求項１〜８のいずれかに記載の方法。
【請求項１０】
不飽和アルファ，オメガジカルボン酸および／またはアルファ，オメガジカルボン酸ジエステルおよび不飽和炭化水素を、蒸留によって分離することを特徴とする、請求項１〜９のいずれかに記載の方法。
【請求項１１】
請求項１〜１０のいずれかに記載の方法によって得られる、不飽和アルファ，オメガジカルボン酸および／または不飽和アルファ，オメガジカルボン酸ジエステルの、化粧品製剤、特に日焼け防止用化粧品製剤における使用。
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
式Ｉ
【化１】
2012500807.tif 000001
［式中、ＸはＨまたはＦであり；Ｒはメチル、エチル、ｎプロピル、またはｎブチルである］
のオクタヒドロキノリジノン。
【請求項２】
式ＩＩ
【化２】
2012500807.tif 000002
［式中、ＲＸは
【化３】
2012500807.tif 000003
であり；ＸはＨまたはＦであり；Ｒはメチル、エチル、ｎプロピル、またはｎブチルである］
のオクタヒドロキノリジン。
【請求項３】
原薬として、請求項１に記載の式Ｉの化合物または請求項２に記載の式ＩＩの化合物を含有する医薬組成物。
【請求項４】
糖尿病の治療または予防のための、請求項３に記載の医薬組成物。
【請求項５】
高脂血症の治療または予防のための、請求項３に記載の医薬組成物。
【請求項６】
糖尿病性脂質異常症の治療または予防のための、請求項３に記載の医薬組成物。
【請求項７】
メタボリックシンドロームの治療または予防のための、請求項３に記載の医薬組成物。
【請求項８】
肥満症の治療または予防のための、請求項３に記載の医薬組成物。
【請求項９】
代謝機能不全に関連する疾患の治療または予防のための、請求項３に記載の医薬組成物。
【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
無生物有機材料を安定化させるための、一般式（Ｉ−ｂ）
【化１】
2012500875.tif 000001
［式中、
Ｒ1およびＲ2は、それぞれ独立して、同一、または異なって、Ｈ、Ｃ1〜Ｃ20アルキル、Ｃ3〜Ｃ15シクロアルキル、アリール、ヘタリールまたは複素環であり、
Ｒ4、Ｒ5、Ｒ6およびＲ7は、それぞれ独立して、同一、または異なって、Ｃ1〜Ｃ20アルキルであり、あるいはＲ4およびＲ6またはＲ5およびＲ7は、一緒になってテトラメチレンまたはペンタメチレン基であり、
Ｒ3は、アリールまたはヘタリールであり、
Ｒ1からＲ7は、それぞれ１つ以上のヘテロ原子によって任意の位置で中断されていてよく、これらのヘテロ原子の数は、１０以下、好ましくは８以下、極めて好ましくは５以下、特に３以下であり、および／またはそれぞれ、ヒドロキシル、アミノ、モノ−Ｃ1〜Ｃ20アルキルアミノ、ジ−Ｃ1〜Ｃ20アルキルアミノ、ニトロ、シアノ、ＣＯ2Ｍ1、ＣＯＮＭ1Ｍ2、ＳＯ3Ｍ1、Ｃ1〜Ｃ20アルキル、Ｃ1〜Ｃ20アルコキシ、アリール、複素環、ヘテロ原子またはハロゲンによって５回以下、好ましくは４回以下、より好ましくは３回以下、任意の位置で置換されていてよく、これらは、同様に前記の基によって多くとも２回、好ましくは多くとも１回だけ置換されていてよく、
Ｍ1、Ｍ2は、それぞれ独立して、同一、または異なって、ＨまたはＣ1〜Ｃ20アルキルであり、かつ
Ｒ8は、Ｈ、ＣＨ3であり、
Ｒ10は、ホルミルであり、
ｐは、２、３であり、かつ
ｐが２である場合は、
Ｒ11は、Ｃ1〜Ｃ12アルキレン、キシリレン、−ＣＨ2−ＣＨ（ＯＨ）−ＣＨ2−、Ｏ−（Ｃ2〜Ｃ10アルキレン）−Ｏ−ＣＨ2−ＣＨ（ＯＨ）−ＣＨ2−、アリーレン、Ｃ6〜Ｃ12シクロアルキレンであり、ただしＲ10は、アルキノイル、アルケノイルまたはベンゾイルでなく、Ｒ11は、Ｃ2〜Ｃ20ジアシルであってもよく、または−ＣＯ−、一般式（Ｘ）
【化２】
2012500875.tif 000002
［式中、
Ｚ11およびＺ12は、それぞれ独立して、Ｈ、Ｃ1〜Ｃ20アルキル、一般式（ＩＩ）
【化３】
2012500875.tif 000003
の基、あるいはＺ11およびＺ12は、一緒になって、Ｃ4〜Ｃ6アルキレンまたは３−オキサペンタメチレンを形成する］の基であり、
ｐが３である場合は、
Ｒ11は、２，４，６−トリアジントリイルである］の立体障害アミンの使用。
【請求項２】
ｐは２であり、Ｒ11はＣ1〜Ｃ12アルキレンである、請求項１に記載の使用。
【請求項３】
置換基Ｒ4、Ｒ5、Ｒ6およびＲ7がメチルである、請求項１または２に記載の使用。
【請求項４】
Ｒ8が水素である、請求項２または３に記載の使用。
【請求項５】
立体障害アミンに加えて、さらに紫外線吸収剤、酸化防止剤、補助安定剤、金属不活性化剤、金属石鹸、可塑剤、帯電防止剤、潤滑剤、離型剤、加工助剤、ブロッキング防止剤、防曇剤、難燃剤、顔料、染料、赤外線調整化合物、発泡剤、核剤および充填剤が混合物で使用される、請求項１から４までのいずれか１項に記載の使用。
【請求項６】
プラスチックまたは塗料材料を安定化するための、請求項１から４までのいずれか１項に記載の使用。
【請求項７】
農業用シートを安定化させるための、請求項１から４までのいずれか１項に記載の使用。
【請求項８】
ＰＶＣを安定化させるための、請求項１から４までのいずれか１項に記載の使用。
【請求項９】
難燃性熱可塑性プラスチックを安定化させるための、請求項１から４までのいずれか１項に記載の使用。
【請求項１０】
無生物有機材料を安定化させる方法であって、前記材料に、安定化に有効な量の請求項１または２に記載の一般式（Ｉ−ｂ）の１つ以上の基を含む立体障害アミンを添加することを特徴とする前記方法。
【請求項１１】
請求項１に記載の一般式（Ｉ−ｂ）の立体障害アミンであって、その式中、Ｒ4、Ｒ5、Ｒ6およびＲ7はいずれもメチルであり、Ｒ8は水素であり、Ｒ10はホルミルであり、ｐは２であり、Ｒ11はヘキサメチレンであり、Ｒ1は水素であり、Ｒ2は水素であり、Ｒ3はフェニルであり、フェニル基Ｒ3はヒドロキシ、アミノ、モノ−Ｃ1〜Ｃ20アルキルアミノ、ジ−Ｃ1〜Ｃ20アルキルアミノ、ニトロ、シアノ、ＣＯ2Ｍ1、ＣＯＮＭ1Ｍ2、ＳＯ3Ｍ1、Ｃ1〜Ｃ20アルキル、Ｃ1〜Ｃ20アルコキシ、アリール、複素環、ヘテロ原子またはハロゲンによって５回まで、好ましくは４回以下、より好ましくは３回以下、それぞれ任意の位置で置換されていてよく、Ｍ1およびＭ2は、それぞれ独立して、同一、または異なって、ＨまたはＣ1〜Ｃ20アルキルである、立体障害アミン。
【請求項１２】
フェニル基Ｒ3が非置換である、請求項１１に記載の立体障害アミン。
【請求項１３】
請求項１１または１２に記載の立体障害アミンを含む無生物有機材料。